(57)【要約】【課題】  簡単な構成で、愛玩動物に装着した胴輪が愛玩動物から脱落するのを防止すると共に、胴輪の取り付け取り外しが容易にできるようにする。【解決手段】  犬Ｄの背部の首の付根あたりから、両前脚Ｌｆ付根を囲むように装着した一対の下帯状部材４、４と、背部の首の付根を囲う背部帯状部材５とを、両端にそれぞれ中継部材２、接続分離可能に構成した連結部材３に連結して、犬Ｄに装着する。前記背部帯状部材５には、前記リードＬと連結する連結環７を固定する。  前記中継部材２は、金属製、あるいは合成樹脂製の三股連結具であり、一方、前記連結部材３は、弾性を有する周知の合成樹脂を用いており、胴輪１を取り付けたり、取り外したりするために、前記一対の下帯状部材４、４の他端側と、前記背部帯状部材５の他端側とを、接続、分離可能に連結する第１の連結部材３ａと第２の連結部材３ｂとで構成する。【選択図】              図４
2006230320.tif 000002
【特許請求の範囲】
【請求項１】
愛玩動物の両前脚付根前後に下側からあてがう一対の下帯状部材と、愛玩動物の背部に掛け渡す背部帯状部材と、前記一対の下帯状部材間に介在して、双方の下帯状部材間の間隔を保つ下帯保持部材とを備え、前記背部帯状部材には、リードと連結するための連結環を固定し、前記一対の下帯状部材の両端と愛玩動物の背部に掛け渡す背部帯状部材の両端とを、それぞれ中継部材と接続分離可能に構成した連結部材とによって連結して愛玩動物に装着する構成としたことを特徴とする愛玩動物用胴輪。
【請求項２】
愛玩動物の両前脚付根前後に下側からあてがう一対の下帯状部材と、愛玩動物の背部に掛け渡す背部帯状部材と、前記一対の下帯状部材間に介在して、双方の下帯状部材間の間隔を保つ下帯保持部材とを備え、前記背部帯状部材には、リードと連結するための連結環を固定し、前記一対の下帯状部材の両端と愛玩動物の背部に掛け渡す背部帯状部材の両端とを、それぞれ接続分離可能に構成した連結部材とによって連結して愛玩動物に装着する構成としたことを特徴とする愛玩動物用胴輪。
【請求項３】
前記中継部材は、前記一対の下帯状部材の端部を、一対の下帯状部材を互いに所定角度開いた状態で連結する一対の連結穴と、これら一対の連結穴に対向して、前記背部帯状部材の端部を連結するための連結穴を設けたことを特徴とする請求項１記載の愛玩動物用胴輪。
【請求項４】
前記接続分離自在に構成した連結部材は、前記一対の下帯状部材の端部を、一対の下帯状部材を互いに所定角度開いた状態で連結する一対の連結穴を設けた第１の連結部材と、前記背部帯状部材の端部を連結するための連結穴を設けた第２の連結部材とで構成し、前記第１連結部材と第２連結部材とには、嵌合部と、この嵌合部に着脱自在に嵌合させるための嵌合部材とを設けたことを特徴とする請求項１または２記載の愛玩動物用胴輪。
【発明の詳細な説明】
【技術分野】
【０００１】
本発明は、簡単な構成で、愛玩動物に装着した胴輪が愛玩動物から脱落するのを防止すると共に、胴輪の取り付け取り外しが容易にできるようにした、愛玩動物用胴輪に関するものである。
【背景技術】
【０００２】
従来、愛玩動物、すなわち多くは犬を引き連れる手段として、犬の首周りに装着した首輪に、リードを連結するものの他、胴廻りに装着した胴輪にリードを連結する構成のものがある。
このうち、後者の犬の胴輪として、前後の胴部帯状体の各端部をリング状金具により互に連結し、更にこれら両リング状金具に引紐を挿通したものが知られている。
【０００３】
例えば、
【特許文献１】特許第２５０６２８５号  ここで開示される胴輪では、犬が暴れるようなことがあった場合に、従来の胴輪にある不都合である、胴輪が犬から脱落しやすいのを改善したもので、そのために、接理部材の分離した状態の係止突部と受部とをそれぞれ手で保持して前後の胴部帯状体を犬の胴部特に胸部に当接してから犬の背部において係止突部を受部に係止すると共に引紐等のフックを両連結環に係止するようにすることで、犬から胴輪の脱落が防止され、犬の運動が可能となるとしている。
【発明の開示】
【発明が解決しようとする課題】
【０００４】
しかしながら、リードと連結する箇所において、二つのリングがあり、さらにこれら二つのリングを着脱可能な連結手段により、連結する構成であるので、部品点数が多くなって、複雑化している。従って、ここに改善の余地があるといえる。
本発明はこのような課題を改善するために提案されたものであって、より単純な構成で、愛玩動物に装着した胴輪が愛玩動物から脱落するのを防止すると共に、胴輪の取り付け取り外しが容易にできるようにした、愛玩動物用胴輪を提供することを目的とする。
【課題を解決するための手段】
【０００５】
前記した課題を解決するために、本発明では、請求項１において、愛玩動物の両前脚付根前後に下側からあてがう一対の下帯状部材と、愛玩動物の背部に掛け渡す背部帯状部材と、前記一対の下帯状部材間に介在して、双方の下帯状部材間の間隔を保つ下帯保持部材とを備え、前記背部帯状部材には、リードと連結するための連結環を固定し、前記一対の下帯状部材の両端と愛玩動物の背部に掛け渡す背部帯状部材の両端とを、それぞれ中継部材と接続分離可能に構成した連結部材とによって連結して愛玩動物に装着する構成とした愛玩動物用胴輪を提案する。
また本発明では、請求項２において、愛玩動物の両前脚付根前後に下側からあてがう一対の下帯状部材と、愛玩動物の背部に掛け渡す背部帯状部材と、前記一対の下帯状部材間に介在して、双方の下帯状部材間の間隔を保つ下帯保持部材とを備え、前記背部帯状部材には、リードと連結するための連結環を固定し、前記一対の下帯状部材の両端と愛玩動物の背部に掛け渡す背部帯状部材の両端とを、それぞれ接続分離可能に構成した連結部材とによって連結して愛玩動物に装着する構成とした愛玩動物用胴輪を提案する。
また本発明では、請求項３において、前記中継部材は、前記一対の下帯状部材の端部を、一対の下帯状部材を互いに所定角度開いた状態で連結する一対の連結穴と、これら一対の連結穴に対向して、前記背部帯状部材の端部を連結するための連結穴を設けた愛玩動物用胴輪を提案する。
さらに本発明では、請求項４において、前記接続分離自在に構成した連結部材は、前記一対の下帯状部材の端部を、一対の下帯状部材を互いに所定角度開いた状態で連結する一対の連結穴を設けた第１の連結部材と、前記背部帯状部材の端部を連結するための連結穴を設けた第２の連結部材とで構成し、前記第１連結部材と第２連結部材とには、嵌合部と、この嵌合部に着脱自在に嵌合させるための嵌合部材とを設けた愛玩動物用胴輪を提案する。
【発明の効果】
【０００６】
本発明によれば、愛玩動物の胴廻りに巻き止める胴輪を、接続分離自在に構成した連結部材により、簡単に装着したり、外すことができる。また、部品点数も少なく、製造コストを抑制することができる。
【０００７】
請求項１によれば、愛玩動物の背部を囲うように掛け渡す背部帯状部材の一端と、愛玩動物の両前脚付根前後に下側からあてがう一対の下帯状部材の一端とを、接続分離自在に構成した連結部材により、簡単に胴輪の取り付け、取り外しが可能である。
【０００８】
請求項２によれば、愛玩動物の背部を囲うように掛け渡す背部帯状部材の両端と、愛玩動物の両前脚付根前後に下側からあてがう一対の下帯状部材の両端とを、接続分離自在に構成した連結部材により、簡単に胴輪の取り付け、取り外しが可能である。
【０００９】
請求項３によれば、一対の下帯状部材を互いに所定角度開いた状態で連結することができる。
【００１０】
請求項４によれば、第２連結部材における嵌合片を、第１連結部材側の嵌合部に向かって押し込むことで、先端側が弾性的に変形して嵌合させることができ、一方、指で互いに近付けるように嵌合片の先端側を押圧することで、嵌合片を、前記嵌合部から離脱させることができる。
【発明を実施するための最良の形態】
【００１１】
以下、本発明にかかる愛玩動物用胴輪につき、一つの実施の態様を挙げ、添付の図面に基づいて説明する。
【実施例１】
【００１２】
図１〜図３に本発明にかかる愛玩動物用胴輪１を示し、図１では、この愛玩動物用胴輪１を実際に犬Ｄに装着し、この胴輪１にリードＬを連結したところを示している。
この胴輪１は、犬Ｄの背部の首の付根あたりから、両前脚Ｌｆ付根を囲むように装着した、適宜な素材の帯状部材で構成し、両前脚Ｌｆ付根前後に下側からあてがい、前記両前脚Ｌｆ付根近傍で、両端をそれぞれ中継部材２、連結部材３に連結した一対の下帯状部材４、４と、前記中継部材２、連結部材３に、それぞれ両端を連結して、犬Ｄの背部の首の付根を囲うように掛け渡す背部帯状部材５とを有している。
また、前記一対の下帯状部材４、４間には、双方の下帯状部材４、４が、適宜な間隔に保たれるように介在した、下帯保持部材６を設けている。
そして、前記背部帯状部材５には、前記リードＬと連結する連結環７が装入されている。
【００１３】
前記中継部材２は、金属製、あるいは合成樹脂製の三股連結具であり、前記一対の下帯状部材４、４の一端側と、前記背部帯状部材５の一端側とを連結している。この場合、中継部材２には、前記一対の下帯状部材４、４が互いに所定角度開いた状態で連結するように形成した一対の連結穴ｈ4、ｈ4と、これら連結穴ｈ4、ｈ4と対向して、前記背部帯状部材５の一端側を連結するための連結穴ｈ5とを設けている。
【００１４】
一方、前記連結部材３は、弾性を有する周知の合成樹脂を用いており、胴輪１を取り付けたり、取り外したりするために、前記一対の下帯状部材４、４の他端側と、前記背部帯状部材５の他端側とを、接続、分離可能に連結する第１の連結部材３ａと第２の連結部材３ｂとで構成している。
前記第１連結部材３ａには、中継部材２同様、一対の下帯状部材４、４が互いに所定角度開いた状態で連結するための、一対の連結穴ｈ4、ｈ4を設けてあり、一方、第２連結部材３ｂには、前記背部帯状部材５の他端側を連結するための連結枠穴３ｅを設けている。
そして、前記第１連結部材３ａには、後述する第２連結部材３ｂを着脱可能に嵌合するための嵌合部３ｃと、第２連結部材３ｂ側には、前記第１連結部材３ａにおける嵌合部３ｃに嵌合させるための嵌合片３ｄ、３ｄを設けている。これら嵌合片３ｄ、３ｄは、前記第１連結部材３ａ側の嵌合部３ｃに向かって押し込むことで、先端側が弾性的に変形して嵌合させる構成とする一方、指で互いに近付けるように嵌合片３ｄ、３ｄの先端側を押圧することで、嵌合片３ｄ、３ｄを、前記嵌合部３ｃから離脱させる構成である。
なお、以上のような連結部材３の構成は一例であり、第１連結部材３ａ側に嵌合片３ｄ、３ｄを、第２連結部材３ｂ側に嵌合部３ｃを設ける構成も可能である。
【００１５】
前記一対の下帯状部材４、４は、扁平な適宜な素材の細幅の帯状部材で、犬Ｄの前脚Ｌｆ付根廻り下部に当てるもので、前脚Ｌｆ付根前後を包みこむような間隔で保持されるようにしている。
また、これら下帯状部材４、４は、一端側をそれぞれ、中継部材２側の一対の連結穴ｈ4、ｈ4に挿通して、連結穴ｈ4、ｈ4近傍で折り返して、前記一端側を縫着する一方、他端側を、連結部材３における第１連結部材３ａ側の一対の連結穴ｈ4、ｈ4を挿通して折り返し、前記中継部材２直近の一端側縫着箇所近傍まで至らしめている。そしてここで、前記他端側は、犬Ｄに対応して長さ寸法を調節可能とする周知の調節部材であるスライド枠８に通して縫着している。
なお、折り返し箇所である、前記連結部材３における第１連結部材３ａの連結穴ｈ4、ｈ4近傍には、前記スライド枠８の調節操作との関係で、折り返した下帯状部材４がたるまないように保持する保持枠９を介在している。
【００１６】
前記背部帯状部材５は、前記下帯状部材４に比較して短い寸法であり、前記中継部材２と前記連結部材３との間で折り返して、それぞれ前記中継部材２と前記連結部材３近傍で縫着してあり、中間に設けられる連結環７は、二重に重なり状態にある背部帯状部材５の間で、移動しないように縫着して固定してある。この連結環７は、金属製でもよいし、比較的硬質の合成樹脂で構成してもよい。
【００１７】
そして、前記下帯保持部材６は、前述したように、双方の下帯状部材４、４が、適宜な間隔に保たれるようにするもので、ループ状の帯状部材で構成し、両端部６ａ、６ａを、それぞれ前記下帯状部材４に遊嵌可能にループ状に形成している。
また、中間部は、二重に重ね合わせて縫着している。こうすることで、下帯保持部材６に、折れ曲がりに対する抵抗性を高め、双方の下帯状部材４、４が、効果的に適宜な間隔に保たれるようにしている。
なお、前記下帯保持部材６が一対の下帯状部材４、４の中間を二分するように配置することで、下帯保持部材６と一対の下帯状部材４、４とで囲う閉ループ箇所に、犬Ｄの双方の前脚Ｌｆをそれぞれ装入しやすくしている。
【００１８】
本発明にかかる愛玩動物用胴輪１は、以上のように構成しており、次に、胴輪１の取付手順を説明する。
先ず、一対の下帯状部材４、４の他端側と、背部帯状部材５の他端側とを繋ぐ、連結部材３における第１連結部材３ａと第２連結部材３ｂとを取り外す。
このとき、第２連結部材３ｂ側の双方の嵌合片３ｄ、３ｄの先端側を、指で互いに近付けるように押圧することで、第１連結部材３ａと第２連結部材３ｂとを分離離脱させることができる。
これによって、図３に示すように、一対の下帯状部材４、４が展開し、ここで、下帯状部材４、４の長さを、犬Ｄの、両前脚Ｌｆ付根前後に下側からあてがい、前記両前脚Ｌｆ付根近傍に至る寸法に合わせて、スライド枠８を移動させることで調節することができる。
そして、下帯保持部材６と一対の下帯状部材４、４とで囲う閉ループ箇所に、犬Ｄの双方の前脚Ｌｆをそれぞれ装入させることができる。
【００１９】
次に、飼い主は、前記一対の下帯状部材４、４の両端部である、中継部材２、連結部材３をもって、持ち上げると共に、犬Ｄの背部の首の付根廻りを囲うように背部帯状部材５を掛け渡し、この背部帯状部材５の他端側を取り付けた、連結部材３における第２連結部材３ｂを、下帯状部材４、４の他端側を取り付けた第１連結部材３ａに近付けていき（図４参照）、第１連結部材３ａの嵌合部３ｃに、第２連結部材３ｂ側の嵌合片３ｄ、３ｄを押し込むことで、嵌合片３ｄ、３ｄ先端側が弾性的に変形して嵌合させることで、背部帯状部材５の他端側と下帯状部材４、４の他端側とが連結され、胴輪１の装着が完了する。
なお、このとき、一対の下帯状部材４、４の長さが、犬Ｄに合わないときは、さらに、スライド枠８を移動させて調節すればよい。
【００２０】
そして、飼い主は、最後に犬Ｄの背部の首の付根廻りに掛け渡された背部帯状部材５に設けた連結環７に、リードＬを連結し、飼い主は、リードＬを介して犬Ｄを引き連れることができる。
【００２１】
ところで、前記胴輪１を装着すると、犬Ｄの両前脚Ｌｆ前後には、一対の下帯状部材４、４が、両前脚Ｌｆ付根前後に下側から当たるが、一対の下帯状部材４、４は、両端部を連結した第１、第２の連結部材２、３により、互いに所定角度開いた状態で連結するようにしており、また、双方の下帯状部材４、４の中間に介在された下帯保持部材６により、双方の下帯状部材４、４が、効果的に適宜な間隔に保たれるようにしてあるので、背部帯状部材５に設けた連結環７を介して、リードＬを引っ張っても、双方の下帯状部材４、４が、前脚Ｌｆ付根前後を包みこむような間隔で保持されるので、局所的に犬Ｄの前脚Ｌｆ付根廻り下部が締め付けられるようなことはなく、犬Ｄに過度のストレスを与えるようなことはない。
【００２２】
そして、前記胴輪１を取り外しするときは、一対の下帯状部材４、４の他端側と、背部帯状部材５の他端側とを繋ぐ、連結部材３における第１連結部材３ａと第２連結部材３ｂとを取り外す。
このとき、第２連結部材３ｂ側の双方の嵌合片３ｄ、３ｄの先端側を、指で互いに近付けるように押圧することで、第１連結部材３ａと第２連結部材３ｂとを分離離脱させることができる。
【００２３】
このように、前記胴輪１は、簡単に犬Ｄに装着したり、取り外したりすることができ、その止め付けるための構成部品をより簡素なものとして、扱いやすい胴輪１として実現することができるので、コストダウンが可能である。
【００２４】
以上、説明した胴輪１は一例であり、特に双方の下帯状部材４、４と背部の首の付根廻りを囲う背部帯状部材５とは、両端とも接続分離可能な連結部材３により連結する構成としても可能であることは勿論である。
【図面の簡単な説明】
【００２５】
【図１】本発明にかかる愛玩動物用胴輪を、実際に愛玩動物に装着した一例を示す、斜視説明図である。
【図２】図１に示す愛玩動物用胴輪の構成を示す平面的説明図である。
【図３】図２に示す愛玩動物用胴輪から、一部連結部材を分離して、愛玩動物に装着する際の展開させた状態の説明図である。
【図４】本発明にかかる愛玩動物用胴輪を、実際に愛玩動物に装着する際の斜視説明図である。
【符号の説明】
【００２６】
１                胴輪
２                中継部材
３                連結部材
３ａ              第１連結部材
３ｂ              第２連結部材
３ｃ              嵌合部
３ｄ              嵌合片
３ｅ              連結枠穴
４                下帯状部材
５                背部帯状部材
６                下帯保持部材
６ａ              両端部
７                連結環
８                スライド枠
９                保持枠
Ｄ                犬
Ｌf               前脚
Ｌ                リード
ｈ4、ｈ5          連結穴
【図１】
2006230320.tif 000003
【図２】
2006230320.tif 000004
【図３】
2006230320.tif 000005
【図４】
2006230320.tif 000006